(57)【要約】【課題】帯状面ファスナーを用いて、簡単にかつ資材を無駄にすることなく作成でき、電気コード等の被結束部材に簡単に装着可能な結束バンドの提供。【解決手段】相互に係合可能な表係合面１１と裏係合面１２とを有する帯状面ファスナー１０の左右の側部に、それぞれ設けた切り込み部２、３を噛み合わせて、帯状面ファスナーの一端に環状装着部５を形成させたことを特徴とし、さらに、前記切り込み部２、３を噛み合わせ、環状装着部５を形成させると共に、係合面外にはみ出た帯端部７を折り曲げて、係合面に係合させることが好ましい。【選択図】図１
2014181044.tif 000002
【特許請求の範囲】
【請求項１】
相互に係合可能な表係合面と裏係合面とを有する帯状面ファスナーの左右の側部に、それぞれ設けた切り込み部を噛み合わせて、帯状面ファスナーの一端に環状装着部を形成させたことを特徴とする結束バンド。
【請求項２】
前記切り込み部を噛み合わせ、環状装着部を形成させると共に、係合面外にはみ出た帯端部を折り曲げて、係合面に係合させたことを特徴とする請求項１に記載の結束バンド。
【請求項３】
請求項１又は２に記載の結束バンドが、環状装着部により、コードに取り付けられていることを特徴とするコード付電気機器。
【請求項４】
相互に係合可能な表係合面と裏係合面とを有する帯状面ファスナーの左右の側部に、それぞれ切り込み部を設け、該切り込み部を噛み合わせ、帯状面ファスナーの一端に環状装着部を形成させることを特徴とする結束バンド作成方法。
【請求項５】
前記切り込み部を噛み合わせ、環状装着部を形成させると共に、係合面外にはみ出した帯端部を折り曲げて、係合面に係合させることを特徴とする請求項４に記載の結束バンド作成方法。
【発明の詳細な説明】
【技術分野】
【０００１】
本発明は、電気コードやケーブルなどの細長い部材を束ねるために用いられる結束バンドに関し、特に面ファスナーを用いた結束バンドに関する。
【背景技術】
【０００２】
従来、電気コードやケーブルなどの細長い部材を束ねるために種々の結束バンドが用いられている。そして、面ファスナーを用いた結束バンドも用いられており、面ファスナーを用いた場合には結束と解除とがワンタッチでできる。そのため、各種の電気機器に付随する電源コードやケーブルなどのコード類の結束バンドとして使用し、コード類をまとめて結束したり、結束を解いてコード類を伸長したりすることに用いられている。そして、このような結束バンドとして用いるために、表係合面と裏係合面とを係合できる帯状面ファスナーをロール状としたものが市販されており、この帯状面ファスナーを適当な長さに切り取って結束バンドとして使用している。
【０００３】
しかしながら、コード類を結束したり、結束を解いたりするための結束バンドとして帯状面ファスナーを用いる場合、結束バンドをコードより外した時に、結束バンドを紛失してしまうことが多かった。そのため、結束バンドは被結束部材であるコード類に装着しておくことが好ましく、結束バンドを構成する帯状面ファスナーの端部に、被結束部材への装着部を設けることが行われている。この場合に、両面を係合できる帯状面ファスナーでは、装着部を設けることなく、帯状面ファスナーの端部をコード類に巻きつけて、ファスナー面を係合させて装着することも可能ではあるが、結束したコード類の結束を解く際に、この端部の装着も一緒に外れてしまうことが多い。そのため、別個に装着部を設けることが必要である。
【０００４】
そのため、結束バンドをコード類に摺動自在に装着するために、帯状面ファスナーの一方の端部にコード類が挿入可能な環状装着部を設けることが行われているが、この環状装着部の形成には、特許文献１、２、３などに示されるように、帯状面ファスナーの一端を環状に丸め、縫着や加熱融着などにより端部を固着する方法が用いられている。そのため、この環状装着部の加工には手間が掛かり、また機器が必要になることもある。
【０００５】
一方、帯状面ファスナーをストラップ状に切り抜いた、図３に示すような結束バンド２００も市販されている。この結束バンド２００の一端には結束部２０１が挿入可能な貫通孔２０２が設けられており、コード類を捲き込みながら結束部２０１を貫通孔２０２に挿入して、締め付けることで、結束バンド２００をコード類に装着することができる。しかしながら、この結束バンド２００では、貫通孔２０２が設けられる端部２０３の幅は、結束部２０１の幅より広い必要がある。そのため、この結束バンド２００は、少なくとも端部２０３の幅以上の幅を持つ帯状面ファスナーより切り抜く必要があり、資材の廃棄部分が発生することになる。さらに、ストラップ状に多量に切り抜く作業にはダイカッターなどの設備が必要となる。そのため、各種サイズのバンドを揃えるためには、バンドのサイズに対応するそれぞれのサイズの金型が必要であり、サイズの種類は限定され、適用範囲を広げるためには、より長いサイズが必要となり、やはり資材の無駄を生ずることになる。
【０００６】
また、特許文献４や５には、図４に示すような結束バンド（結束具、コードバンド）３００が提案されており、一方の帯状面ファスナー３０１の一端を、他方の帯状面ファスナー３０２の中央部に固着して結束バンド３００としている。この結束バンド３００は図に示すように、それぞれの帯状面ファスナーの固着部３０３の近傍にてコードに取り付けることができるようにしたものである。しかしながら、このような結束帯は加工に手間が掛かり、また、結束を解いたときに、コード類の取り付け部の面ファスナーの係合も剥がされ、取り付け部分が解放され、コード類が結束バンドより外れてしまうこともある。
【先行技術文献】
【特許文献】
【０００７】
【特許文献１】実公昭４４−９２２９号公報
【特許文献２】特開２００１−３５４３６３号公報
【特許文献３】登録実用新案第３００９４０９号公報
【特許文献４】実開平１−５８９８４号公報
【特許文献５】実開平１−１０７５７３号公報
【発明の概要】
【発明が解決しようとする課題】
【０００８】
本発明の課題は、前記した従来の帯状面ファスナーを用いた結束バンドの問題点を解消し、簡単にかつ資材を無駄にすることなく作成でき、コード類などの被結束部材に簡単に装着可能な結束バンドを提供することである。
【課題を解決するための手段】
【０００９】
本発明の結束バンドは、相互に係合可能な表係合面と裏係合面とを有する帯状面ファスナーの左右の側部に、それぞれ設けた切り込み部を噛み合わせて、帯状面ファスナーの一端に環状装着部を形成させたことを特徴とし、さらに、前記切り込み部を噛み合わせ、環状装着部を形成させると共に、係合面外にはみ出た帯端部を折り曲げて、係合面に係合させることが好ましい。
【００１０】
また、上記の結束バンドが環状装着部によりコードに取り付けられているコード付電気機器も提供される。このコード付電気機器は付随する電源コードやケーブルなどのコード類に上記した結束バンドが取り付けられていることを特徴とし、必要に応じてコード類を束ねて結束したり、結束を解いて伸長したりできるものである。
【００１１】
また本発明の結束バンドの作成方法は、相互に係合可能な表係合面と裏係合面とを有する帯状面ファスナーの左右の側部に、それぞれ切り込み部を設け、該切り込み部を噛み合わせ、帯状面ファスナーの一端に環状装着部を形成させることを特徴とし、さらに、前記切り込み部を噛み合わせ、環状装着部を形成させると共に、係合面外にはみ出した帯端部を折り曲げて、係合面に係合させる作成方法が好ましい。
【００１２】
本発明に用いられる帯状面ファスナーは表裏両面が係合面であり、それぞれが互いに係合可能となっている。すなわち、一方がフック係合面であり、他方がループ係合面であるか、又は表裏両面がフックループ混在係合面となっている。このような帯状面ファスナーはロール状として市販されており、本発明においてはこの帯状面ファスナーを使用することができる。しかし、帯状面ファスナーとしては、構成素材については特に限定されることなく、前記のように表裏両面が係合面となっている帯状の面ファスナーであれば使用することができる。
【発明の効果】
【００１３】
本発明の結束バンドは、一般的に市販されている帯状面ファスナーを必要な長さに切り取り、左右の両側部に切り込みを入れ、形成した両切り込み部を互いに噛み合わせるだけで、被結束部材に装着するための環状装着部を形成することができる。そのため、従来の方法に比べ、特別な機器も必要とせず、はさみ又はカッターを用いて、切り込みを入れるだけの非常に簡単な作業で加工できるものである。さらに、資材である帯状面ファスナーから切り捨てる廃棄部分も発生することがない。さらに、この両切り込み部の間の距離を調整することで、環状装着部の環の大きさを自由に調整できるため、装着するコード類の太さに応じて環の大きさを調整することができ、種々の被結束部材に簡単に適用することができる。
【００１４】
また、環状装着部は切り込み部を噛み合わせただけで形成させているが、結束状態では、帯状面ファスナーをその上に巻きつけることになり、環状装着部はしっかりと固定される。さらに、切り込み部が噛み合わされているために、巻きつけた帯状面ファスナーを解いて、結束を解くときに環状装着部が開いて、コード類より結束バンドが外れることがない。そして、係合面外にはみ出た帯端部を折り曲げて、係合面に係合させた場合には、環状装着部をよりしっかりと固定でき、噛み合いが外れることもなく、コード類にしっかりと装着できる結束バンドとなる。
【図面の簡単な説明】
【００１５】
【図１】帯状面ファスナーより本発明の結束バンドを作成する工程の説明図。
【図２】本発明の結束バンドのコードへの取り付け及びコードを結束する説明図。
【図３】市販されているストラップタイプの結束帯の外観図。
【図４】特許文献４に示された結束バンド（コードバンド）及びその使用説明図。
【発明を実施するための形態】
【００１６】
本発明の実施の形態を以下詳細に説明する。
【００１７】
図１は帯状面ファスナー１０を用いて、結束バンド１を作成する工程の説明図（ａ）〜（ｄ）である。（ａ）は、左右の側部に切り込み部２、３を設けた帯状面ファスナー１０を示している。この帯状面ファスナー１０の表裏両面は相互に係合可能となっており、前記したように、一方がフック係合面であり、他方がループ係合面であるか、又は表裏両面がフックループ混在係合面となっている。図１（ａ）〜（ｃ）では表係合面１１をフック面とし、裏係合面１２をループ面としているが、その逆であっても差し支えない。図１（ｄ）では表裏両面ともフックループ混在係合面１３としている。
【００１８】
図１（ｂ）では、噛み合わせ部４にて、切り込み部２、３を噛み合わせて、帯状面ファスナー１０の端部に、環状装着部５を形成し、他の部分を結束部６とした結束バンド１を作成している。この場合、図１（ａ）に示す切り込み部２と３との間の距離Ｌが環状装着部５の周の長さとなっている。したがって、取り付けるコード類の大きさに応じて、このＬの長さを調整し、環状装着部５の大きさを調整する。そして、図２（ａ）に示すように、電気コード１００を捲き込みながら、環状装着部５を形成することで、結束バンド１を電気コード１００に取り付けることができる。
【００１９】
図１（ｂ）に示すように、切り込み部２、３を噛み合わせたときには、噛み合わせ部４にて、帯端部７が表係合面１１の面外にはみ出した状態となる。この状態でも結束バンドとしての機能を果たすことができるが、この帯端部７を図１（ｃ）に示すように折り曲げることで、帯端部７の裏係合面１２を表係合面１１に係合できるため、切り込み部の噛み合いが外れることもなく、環状装着部５をよりしっかりと固定されたものとすることができる。また、表裏両面ともフックループ混在係合面１３の場合は、図１（ｃ）と同様な方向に折り曲げて係合できるほか、図１（ｄ）に示すような方向に折り曲げて、フックループ混在係合面１３同士で係合することも可能である。
【００２０】
切り込み部２、３の切り込みの長さは、図１（ｂ）に示すように噛み合わせることができればよいため、それぞれの長さの合計がバンド幅と等しくなればよいが、それぞれバンドのほぼ中央に達する長さの切り込みを設けることが好ましい。
【００２１】
図２は本発明の結束バンド１を電気コード１００に応用した例の説明図である。図２（ａ）は前記したように、結束バンド１を、環状装着部５により、電気コード１００に取り付けた説明図であり、図２（ｂ）は折り曲げた電気コード１００を結束部６により結束した状態を示している。この時、図１（ｃ）や（ｄ）に示すように帯端部７が折り曲げられて係合面に係合されていると、コードを束ねる作業がし易くなる。このような使用方法は、各種の電気機器の電源コードに応用できるが、特に電動工具のように、使用していないときには図２（ｂ）に示すようにコードを束ねて収納し、使用する場合には、結束を解きコードを伸長して使用する機器においては、結束を解いた場合でも結束バンド１はコードから外れることもなく、工具を使用中に紛失してしまうことがなく、非常に有用である。このように、本発明の結束バンド１を装着した電源コード付の電気機器は便利に使用することができる。
【００２２】
また、ＩＴ機器のような多数のコードやケーブルが付属している場合にも、これらのコード類を束ねて、機能ごとに分けて整理するのに使用することができる。さらには、ワイヤーハーネスの結束バンドや仮結束バンドとしても有用である。
【００２３】
以上、コード類の結束に応用する例を説明したが、結束の対象部材はこのようなコード類に限られることなく、種々の部材の結束に用いることができる。例えば、文具への応用として色鉛筆の各色一式を束ねたり、各種筆記具の一式を揃えたりすることに応用できるし、工具類、例えばプライヤー、ドライバー、ペンチなどをまとめて結束しておくことにも応用できる。その他、釣竿、スキー板とストックなどの結束などの細長い部材の結束にも好ましく応用できる。
【００２４】
その他、細長い部材の結束に限定されることなく、バッグやケースの把手やハンドルに、環状装着部を取り付けて、本発明の結束バンドを取り付け、その結束部にてその他の荷物をバッグやケースに結束するような使用方法も可能であり、さらには、脚立や剪定鋏など不使用時には脚や把手を結束しておくのにも使用することができる。このように本発明の結束バンドは幅広く応用することができる。
【符号の説明】
【００２５】
１    結束バンド
２、３    切り込み部
４    噛み合わせ部
５    環状装着部
６    結束部
７    帯端部
１０    帯状面ファスナー
１１    表係合面
１２    裏係合面
１３    フックループ混在係合面
１００電気コード
２００、３００    結束バンド（従来技術）
２０１    結束部
２０２    貫通孔
２０３    端部
３０１、３０２    帯状面ファスナー
３０３    固着部
【図１】
2014181044.tif 000003
【図２】
2014181044.tif 000004
【図３】
2014181044.tif 000005
【図４】
2014181044.tif 000006